(57)【要約】【課題】録画番組を、緊急速報が表示されている時点又はその付近から再生する技術。【解決手段】コンテンツ記憶部２１に記憶されたテレビ番組を識別する情報、当該テレビ番組の録画開始日時及び録画終了日時を含む録画番組属性情報を記憶する録画番組属性情報記憶部１１と、所定のイベントの発生日時を示すイベント発生情報を記憶するイベント発生情報記憶部１２と、コンテンツ記憶部２１に記憶されたテレビ番組を所定の位置から再生する指示をコンテンツ再生部２２に送信する再生制御部１３と、を有し、再生制御部１３は、イベント発生情報を利用してコンテンツ記憶部２１に記憶されたテレビ番組の録画中にイベントが発生しているか否か判断するとともに、録画中にイベントが発生しているテレビ番組を、イベント発生時点、又は、イベント発生時点から予め定められた所定時間後の時点から再生する指示をコンテンツ再生部２２に送信する電子機器１０。【選択図】図１
2014107699.tif 000002
【特許請求の範囲】
【請求項１】
コンテンツ記憶手段に記憶されたテレビ番組を識別する情報、当該テレビ番組の録画開始日時及び録画終了日時を含む録画番組属性情報を記憶する録画番組属性情報記憶手段と、
所定のイベントの発生日時を示すイベント発生情報を記憶するイベント発生情報記憶手段と、
前記コンテンツ記憶手段に記憶されたテレビ番組を所定の位置から再生する指示をコンテンツ再生手段に送信する再生制御手段と、
を有し、
前記再生制御手段は、前記イベント発生情報を利用して前記コンテンツ記憶手段に記憶されたテレビ番組の録画中に前記イベントが発生しているか否か判断するとともに、録画中に前記イベントが発生している前記テレビ番組を、前記イベント発生時点、又は、前記イベント発生時点から予め定められた所定時間後の時点から再生する指示を前記コンテンツ再生手段に送信する電子機器。
【請求項２】
請求項１に記載の電子機器において、
前記電子機器は携帯端末であり、
前記コンテンツ記憶手段及び前記コンテンツ再生手段は、前記携帯端末とは異なる装置に設けられている電子機器。
【請求項３】
請求項２に記載の電子機器において、
前記電子機器は、前記イベントが発生するとその都度、前記イベントが発生したことを示すイベント速報を取得するイベント速報取得手段を有し、
前記イベント速報取得手段は、前記イベント速報を取得すると、前記イベント発生情報記憶手段に蓄積していく電子機器。
【請求項４】
請求項１に記載の電子機器において、
前記電子機器は、さらに、前記コンテンツ記憶手段及び前記コンテンツ再生手段を有する電子機器。
【請求項５】
請求項１から４のいずれか１項に記載の電子機器において、
前記再生制御手段は、前記コンテンツ記憶手段に記憶されたテレビ番組の中に録画中に前記イベントが発生していない前記テレビ番組がある場合、当該テレビ番組の録画中には前記イベントが発生していないことを示す情報をユーザーに向けて出力する電子機器。
【請求項６】
請求項１から５のいずれか１項に記載の電子機器において、
前記イベントは、地震発生である電子機器。
【請求項７】
コンピュータを、
コンテンツ記憶手段に記憶されたテレビ番組を識別する情報、当該テレビ番組の録画開始日時及び録画終了日時を含む録画番組属性情報を記憶する録画番組属性情報記憶手段、
所定のイベントの発生日時を示すイベント発生情報を記憶するイベント発生情報記憶手段、
前記コンテンツ記憶手段に記憶されたテレビ番組を所定の位置から再生する指示をコンテンツ再生手段に送信する再生制御手段、
として機能させ、
前記再生制御手段に、前記イベント発生情報を利用して前記コンテンツ記憶手段に記憶されたテレビ番組の録画中に前記イベントが発生しているか否か判断させるとともに、録画中に前記イベントが発生している前記テレビ番組を、前記イベント発生時点、又は、前記イベント発生時点から予め定められた所定時間後の時点から再生する指示を前記コンテンツ再生手段に送信させるプログラム。
【請求項８】
コンピュータが、
コンテンツ記憶手段に記憶されたテレビ番組を識別する情報、当該テレビ番組の録画開始日時及び録画終了日時を含む録画番組属性情報、及び、所定のイベントの発生日時を示すイベント発生情報を記憶しておき、
前記コンテンツ記憶手段に記憶されたテレビ番組を所定の位置から再生する指示をコンテンツ再生手段に送信する再生制御ステップを実行し、
前記再生制御ステップでは、前記イベント発生情報を利用して前記コンテンツ記憶手段に記憶されたテレビ番組の録画中に前記イベントが発生しているか否か判断するとともに、録画中に前記イベントが発生している前記テレビ番組を、前記イベント発生時点、又は、前記イベント発生時点から予め定められた所定時間後の時点から再生する指示を前記コンテンツ再生手段に送信する再生制御方法。
【発明の詳細な説明】
【技術分野】
【０００１】
本発明は、電子機器、再生制御方法及びプログラムに関する。
【背景技術】
【０００２】
特許文献１には、携帯端末を用いて行った視聴の状況を録画再生装置に反映させることにより、使い勝手を向上した携帯型情報端末装置及び記録再生装置が記載されている。
【０００３】
当該携帯型情報端末装置は、番組情報を含む放送信号を受信する受信部と、放送信号を記録再生する記録再生装置と通信する通信部と、放送信号に含まれる番組情報および映像情報を表示する表示部と、受信して表示した映像信号の視聴履歴を記憶する記憶部と、装置の視聴を操作する操作部を備え、前記記憶部に記憶した視聴履歴をもとに、前記通信部を介して記録再生装置に前記視聴履歴に関連する情報の記録または再生を指示する指示信号を送出する。
【先行技術文献】
【特許文献】
【０００４】
【特許文献１】特開２００７−１９５２２９号公報
【発明の概要】
【発明が解決しようとする課題】
【０００５】
ところで、テレビ番組の放送中に地震発生、台風上陸などの所定のイベントが発生すると、番組内で速報（以下、「緊急速報」）が流される。放送中に緊急速報が流された場合、番組の映像や音声に、本来は入っていないテロップ表示やアラーム音声が混入する。これらはリアルタイムで番組を視聴している時には有用な情報ではあるが、録画した番組を後で再生する際には、本来不要なものである。
【０００６】
録画した番組にそのような情報が混入しており、それが、本来の番組の映像や音声に大きく影響している場合、より良い状態での録画データを蓄積したいと希望するユーザーは、当該データを削除し、再放送時に再度録画する等の対応を行うことを希望する場合がある。
【０００７】
ただし、番組中に流される緊急速報は、それまで放送されていた通常の番組映像や音声に、テキスト情報や、画像や、アラーム音声が重畳されるものであり、その方法や程度については固定ではなく、音声によるアラームが無いもの、画面の一部にテキスト表示するだけのもの、本来の番組画面を縮小し、緊急速報を画面の左右端やＬ字型に大きく割り込ませて表示するものなど様々であり、イベントの重要度や放送局の放送方針によって変わるものである。
【０００８】
従って、録画データに含まれる緊急速報の程度が、ユーザーにとって許容可能な軽微なものであるかそうでないかは、各ユーザーの主観によるものであり、実際に、ユーザーがその画面を見てみないと判断できない。
【０００９】
ユーザーが、録画と同時に番組の視聴を行っていれば、緊急速報の影響の程度をその時点で確認可能であるが、ユーザーが就寝中もしくは外出中等、イベント発生時のＴＶ画面をリアルタイムで確認できなかった番組については、録画データを再生して、緊急速報の放送箇所を確認する必要がある。
【００１０】
ただ、その作業においては、番組の鑑賞が目的ではなく、緊急速報が入っているか、入っている場合はどの程度の内容かを確認できればよいので、緊急速報が表示されている時点又はその付近から再生できれば便利である。
【００１１】
本発明は、録画したテレビ番組を、緊急速報が表示されている時点又はその付近から再生するための技術を提供することを課題とする。
【課題を解決するための手段】
【００１２】
本発明によれば、
コンテンツ記憶手段に記憶されたテレビ番組を識別する情報、当該テレビ番組の録画開始日時及び録画終了日時を含む録画番組属性情報を記憶する録画番組属性情報記憶手段と、
所定のイベントの発生日時を示すイベント発生情報を記憶するイベント発生情報記憶手段と、
前記コンテンツ記憶手段に記憶されたテレビ番組を所定の位置から再生する指示をコンテンツ再生手段に送信する再生制御手段と、
を有し、
前記再生制御手段は、前記イベント発生情報を利用して前記コンテンツ記憶手段に記憶されたテレビ番組の録画中に前記イベントが発生しているか否か判断するとともに、録画中に前記イベントが発生している前記テレビ番組を、前記イベント発生時点、又は、前記イベント発生時点から予め定められた所定時間後の時点から再生する指示を前記コンテンツ再生手段に送信する電子機器が提供される。
【００１３】
また、本発明によれば、
コンピュータを、
コンテンツ記憶手段に記憶されたテレビ番組を識別する情報、当該テレビ番組の録画開始日時及び録画終了日時を含む録画番組属性情報を記憶する録画番組属性情報記憶手段、
所定のイベントの発生日時を示すイベント発生情報を記憶するイベント発生情報記憶手段、
前記コンテンツ記憶手段に記憶されたテレビ番組を所定の位置から再生する指示をコンテンツ再生手段に送信する再生制御手段、
として機能させ、
前記再生制御手段に、前記イベント発生情報を利用して前記コンテンツ記憶手段に記憶されたテレビ番組の録画中に前記イベントが発生しているか否か判断させるとともに、録画中に前記イベントが発生している前記テレビ番組を、前記イベント発生時点、又は、前記イベント発生時点から予め定められた所定時間後の時点から再生する指示を前記コンテンツ再生手段に送信させるプログラムが提供される。
【００１４】
また、本発明によれば、
コンピュータが、
コンテンツ記憶手段に記憶されたテレビ番組を識別する情報、当該テレビ番組の録画開始日時及び録画終了日時を含む録画番組属性情報、及び、所定のイベントの発生日時を示すイベント発生情報を記憶しておき、
前記コンテンツ記憶手段に記憶されたテレビ番組を所定の位置から再生する指示をコンテンツ再生手段に送信する再生制御ステップを実行し、
前記再生制御ステップでは、前記イベント発生情報を利用して前記コンテンツ記憶手段に記憶されたテレビ番組の録画中に前記イベントが発生しているか否か判断するとともに、録画中に前記イベントが発生している前記テレビ番組を、前記イベント発生時点、又は、前記イベント発生時点から予め定められた所定時間後の時点から再生する指示を前記コンテンツ再生手段に送信する再生制御方法が提供される。
【発明の効果】
【００１５】
本発明によれば、録画したテレビ番組を、緊急速報が表示されている時点又はその付近から再生するための技術が実現される。
【図面の簡単な説明】
【００１６】
【図１】本実施形態の電子機器の機能ブロック図の一例を示す図である。
【図２】録画番組属性情報の一例を示す図である。
【図３】イベント発生情報の一例を示す図である。
【図４】本実施形態の電子機器の機能ブロック図の一例を示す図である。
【図５】本実施形態の電子機器の機能ブロック図の一例を示す図である。
【図６】ユーザーが番組の録画予約をするときに、携帯端末１０１と、ビデオレコーダー２０２と、ＴＶ局２０３がどのように連携するかを示したイメージ図である。
【図７】ビデオレコーダー２０２内の録画データ一覧の例である。
【図８】録画予約された番組放送中に地震が発生したとき、携帯端末１０１、ビデオレコーダー２０２それぞれに対し、緊急地震速報が送信されるイメージ図である。
【図９】ユーザーが携帯端末１０１を操作し、ビデオレコーダー２０２内の録画データを再生するときのイメージ図である。
【図１０】ユーザーが携帯端末１０１を使用し、番組を録画予約する処理の流れの一例を示すフローチャートである。
【図１１】地震発生時、携帯端末１０１が、緊急地震速報を受信する処理の流れの一例を示すフローチャートである。
【図１２】ユーザーが携帯端末１０１を使用し、録画した番組を再生する処理の流れの一例を示すフローチャートである。
【図１３】地震発生履歴公開サイト５０６の地震発生履歴を参照する例のイメージ図である。
【図１４】地震発生履歴公開サイト５０６の一例である。
【発明を実施するための形態】
【００１７】
以下、本発明の実施の形態について図面を用いて説明する。なお、複数の図面に共通して現れる構成要素については共通の符号を付し、適宜説明を省略する。
【００１８】
なお、本実施形態のシステム、装置は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インターフェースを中心にハードウェアとソフトウェアの任意の組合せによって実現される。そして、その実現方法、装置にはいろいろな変形例があることは、当業者には理解されるところである。
【００１９】
また、本実施形態の説明において利用する機能ブロック図は、ハードウェア単位の構成ではなく、機能単位のブロックを示している。これらの図においては、各システム、装置は１つの機器により実現されるよう記載されているが、その実現手段はこれに限定されない。すなわち、物理的に分かれた構成であっても、論理的に分かれた構成であっても構わない。
【００２０】
＜第１の実施形態＞
図１に本実施形態の電子機器１０の機能ブロック図の一例を示す。図１には、電子機器１０と有線及び／又は無線で通信可能なレコーダ２０の機能ブロック図も併せて示している。
【００２１】
レコーダ２０は、コンテンツ記憶部２１とコンテンツ再生部２２とを有する。レコーダ２０は、テレビ放送の放送波を受信する機能、及び、所定のテレビ番組を録画する機能を有し、録画したテレビ番組（コンテンツ）をコンテンツ記憶部２１に記憶する。コンテンツ再生部２２は、レコーダ２０が有するディスプレイ、又は、レコーダ２０と接続されたディスプレイを介して、コンテンツ記憶部２１に記憶されているテレビ番組（コンテンツ）を所定の位置から（冒頭から、途中から）再生することができる。
【００２２】
次に、電子機器１０について説明する。電子機器１０は、録画番組属性情記憶部１１と、イベント発生情報記憶部１２と、再生制御部１３とを有する。本実施形態の電子機器１０は、携帯端末である。本実施形態の電子機器１０は、レコーダ２０と有線及び／又は無線で通信し、レコーダ２０を制御して所定の処理を実行させることができる。電子機器１０は、例えば、レコーダ２０を操作するためのプログラム（アプリ）をインストールした携帯電話や携帯ゲーム等の携帯端末であってもよい。
【００２３】
録画番組属性情報記憶部１１は、レコーダ２０が有するコンテンツ記憶部２１に記憶されたテレビ番組を識別する情報、当該テレビ番組の録画開始日時及び録画終了日時を含む録画番組属性情報を記憶する。
【００２４】
ここで、電子機器１０が録画番組属性情報を取得する手段の一例を説明する。
【００２５】
例えば、レコーダ２０がコンテンツ記憶部２１に記憶されたテレビ番組に関する録画番組属性情報を記憶するよう構成し、電子機器１０はレコーダ２０から録画番組属性情報を取得するように構成してもよい。レコーダ２０が録画番組属性情報を取得する手段は特段制限されず、番組放送波やインターネット等を利用して取得したテレビの番組表情報を利用して実現してもよい。すなわち、レコーダ２０はインターネットに接続できてもよい。録画開始日時及び録画終了日時の取得は、例えば自機器内に内蔵された時計機能から録画開始時点及び録画終了時点に日時情報を取得することで実現してもよい。
【００２６】
より具体的には、電子機器１０においてレコーダ２０を操作する機能（アプリ等）が起動すると、そのタイミングで、又は、その後の所定のタイミング（例：ユーザーからの指示入力を受付けたタイミング）で、電子機器１０はレコーダ２０に録画番組属性情報の送信要求を送ってもよい。そして、当該送信要求を受信した電子機器１０は、その時点でコンテンツ記憶部２１に記憶されているテレビ番組に関する録画番組属性情報を電子機器１０に返信してもよい。電子機器１０は、このようにして送信されてきた録画番組属性情報を取得し、録画番組属性情報記憶部１１に記憶してもよい。
【００２７】
なお、当該例はあくまで一例であり、電子機器１０はその他の手段で録画番組属性情報を取得し、録画番組属性情報記憶部１１に記憶してもよい。以下の実施形態でその他の例を説明する。
【００２８】
図２に、録画番組属性情報記憶部１１に記憶されている録画番組属性情報の一例を示す。図示する例では、通番ごとに、録画開始日時、録画終了日時、番組名（テレビ番組を識別する情報）、及び、チャンネル番号が関連付けて記憶されている。
【００２９】
図１に戻り、イベント発生情報記憶部１２は、所定のイベントの発生日時を示すイベント発生情報を記憶する。
【００３０】
所定のイベントの詳細は特段制限されないが、テレビ放送時に放送内容に重畳して緊急速報として放送される可能性のあるものであるのが望ましく、例えば、地震の発生や、気象庁等の所定の機関による台風等の気象警報の発令などが考えられる。
【００３１】
ここで、電子機器１０がイベント発生情報を取得する手段の一例を説明する。
【００３２】
近年、携帯電話などの携帯機器が緊急地震速報などをリアルタイムに取得する技術が広く普及している。電子機器１０は、このような技術を利用して緊急速報を受信し、受信した緊急速報をイベント発生情報としてイベント発生情報記憶部１２に蓄積していってもよい。なお、緊急速報の中にイベント発生日時が含まれない場合、電子機器１０は、緊急速報の受信日時をイベントの発生日時としてイベント発生情報記憶部１２に蓄積してもよい。
【００３３】
すなわち、電子機器１０は、地震発生、気象警報発令等のイベントが発生するとその都度、イベントが発生したことを示す緊急速報（イベント速報）を取得する緊急速報（イベント速報）取得部（不図示）を有してもよい。そして、緊急速報取得部は、緊急速報を取得すると、イベント発生情報記憶部１２に蓄積していってもよい。
【００３４】
その他、レコーダ２０が上記技術を利用して緊急速報を受信し、上記例の電子機器１０と同様にしてイベント発生情報を自装置内に蓄積していってもよい。そして、電子機器１０は、上述した録画番組属性情報と同様にして、レコーダ２０からイベント発生情報を取得してもよい。
【００３５】
その他、電子機器１０及びレコーダ２０とは異なる外部機器にイベント発生情報が蓄積されており、電子機器１０はインターネット等を介して当該外部機器からイベント発生情報を取得し、イベント発生情報記憶部１２に記憶させてもよい。
【００３６】
例えば、所定のサービス提供者（例：気象庁）が、地震などの自然災害が発生した日時や気象警報発令の日時を示す情報（自然災害発生情報）を所定のサーバに記憶しておいてもよい。そして、当該サーバは、電子機器１０からの要求に応じて自然災害発生情報を電子機器１０に送信してもよい。電子機器１０は、このようにして取得した自然災害発生情報を、イベント発生情報としてイベント発生情報記憶部１２に記憶させてもよい。
【００３７】
その他の例として、例えば、テレビ放送中に何らかの緊急速報が重畳して放送された場合、所定のサービス提供者（例：各テレビ番組の放送局）がそのチャンネル番号と緊急速報が重畳した日時とを対応付けた情報（緊急速報日時情報）を所定のサーバに記憶しておいてもよい。そして、当該サーバは、電子機器１０からの要求に応じて緊急速報日時情報を電子機器１０に送信してもよい。電子機器１０は、このようにして取得した緊急速報日時情報を、イベント発生情報としてイベント発生情報記憶部１２に記憶させてもよい。当該例の場合、電子機器１０は、地震などの自然災害発生や気象警報発令等のイベント発生日時のみならず、政治、経済、スポーツ等あらゆる分野の緊急ニュースが発生した日時をイベント発生日時として取得し、イベント発生情報記憶部１２に記憶させることができる。
【００３８】
図３に、イベント発生情報記憶部１２に記憶されているイベント発生情報の一例を示す。図示する例では、通番ごとに、地震発生日時が記憶されている。
【００３９】
図１に戻り、再生制御部１３は、コンテンツ記憶部２１に記憶されたテレビ番組を所定の位置から再生する指示をコンテンツ再生部２２に送信する。
【００４０】
なお、再生制御部１３は、所定のイベント発生時点からコンテンツを再生する指示をコンテンツ再生部２２に送信することができる。すなわち、再生制御部１３は、イベント発生情報記憶部１２に記憶されたイベント発生情報（図３参照）を利用して、コンテンツ記憶部２１に記憶されたテレビ番組の録画中に所定のイベントが発生しているか否か判断する。そして、録画中に所定のイベントが発生しているテレビ番組を、イベント発生時点、又は、イベント発生時点から予め定められた所定時間（例：５秒、１０秒、３０秒、１分）後の時点から再生する指示をコンテンツ再生部２２に送信する。
【００４１】
なお、再生制御部１３は、コンテンツ記憶部２１に記憶されたテレビ番組の中に録画中に所定のイベントが発生していないテレビ番組がある場合、当該テレビ番組の録画中には所定のイベントが発生していないことを示す情報をユーザーに向けて出力することができる。
【００４２】
再生制御部１３による処理例をより詳細に説明する。ユーザーは、電子機器１０を操作し、コンテンツ記憶部２１に記憶されている１つのテレビ番組（第１のコンテンツ）を指定するとともに、所定のイベント発生時から再生する指示入力を行うことができる。なお、このようなユーザー操作を受付けるためのインターフェース画面は、電子機器１０がディスプレイを有する場合には電子機器１０のディスプレイに表示してもよいし、又は、レコーダ２０が有するディスプレイや、レコーダ２０と接続されたディスプレイに表示してもよい。
【００４３】
第１のコンテンツを所定のイベント発生時から再生する指示入力を受付けた電子機器１０の再生制御部１３は、イベント発生情報記憶部１２に記憶されたイベント発生情報（図３参照）、及び、録画番組属性情報記憶部１１に記憶されている録画番組属性情報（図２参照）を利用して、第１のコンテンツの録画中に所定のイベントが発生しているか否か判断する。
【００４４】
所定のイベントが発生している場合、再生制御部１３は、イベント発生日時及び録画開始日時を利用して第１のコンテンツの録画データ内におけるイベント発生時点（例：録画データの冒頭からの経過時間）を特定する。そして、第１のコンテンツを、特定したイベント発生時点から再生する指示をコンテンツ再生部２２に送信する。
【００４５】
一方、所定のイベントが発生していない場合、再生制御部１３は、第１のコンテンツの録画中には所定のイベントが発生していないことを示す情報をユーザーに向けて出力する。当該情報は、電子機器１０がディスプレイを有する場合、当該ディスプレイに表示してもよいし、又は、レコーダ２０が有するディスプレイや、レコーダ２０と接続されたディスプレイに表示してもよい。
【００４６】
本実施形態の作用効果について説明する。
【００４７】
本実施形態によれば、録画中に地震発生などの所定のイベントが発生したテレビ番組を、そのイベント発生時点から再生することができる。このイベントに関する緊急速報が当該テレビ番組の放送内容に重畳して放送されている場合、この緊急速報の直前または緊急速報が行われている時点から、再生することができる。
【００４８】
イベント発生時と緊急速報が放送された時とはタイムラグがあるため、イベント発生時点から再生した場合、緊急速報が放送されていない時点（緊急速報が放送される直前）から再生されることとなる可能性が高い。かかる場合、緊急速報の放送時点が表示されるまで、少し待ち時間が発生する。イベント発生時点から予め定められた所定時間（例：５秒、１０秒、３０秒、１分）後の時点から再生するようにすることで、このような待ち時間をなくことができる。
【００４９】
なお、所定のイベントの内容次第で、緊急速報が放送される場合もあれば、放送されない場合もある。すなわち、所定のイベントが発生しても、緊急速報が放送されない場合もある。かかる場合、所定のイベント発生時点からテレビ番組を再生したとしても、いつまで待っても緊急速報は出てこない。電子機器１０が上述したチャンネル番号と緊急速報が重畳した日時とを対応付けた緊急速報日時情報を取得し、取得した緊急速報日時情報をイベント発生情報としてイベント発生情報記憶部１２に記憶するように構成すれば、このような不都合を解消することができる。また、緊急速報が開始された時点や緊急速報が行われている時点から、確実に再生することができる。
【００５０】
一方、電子機器１０が緊急地震速報などを取得し、イベント発生情報としてイベント発生情報記憶部１２に記憶する構成の場合、電子機器１０の改良、例えば、所定のアプリを作成して電子機器１０にインストールするなどの対応により、本実施形態の作用効果が実現される。すなわち、レコーダ２０の改良や、緊急速報日時情報を記憶するサーバの開設などは不要である。このため、コスト面、実現可能性などの点で有利である。
【００５１】
＜第２の実施形態＞
図４に、本実施形態の電子機器１０の機能ブロック図の一例を示す。本実施形態の電子機器１０は、コンテンツ記憶部２１及びコンテンツ再生部２２を有する点で、第１の実施形態と異なる。各部の機能は第１の実施形態と同様であるので、ここでの説明は省略する。
【００５２】
本実施形態の電子機器１０は、テレビ放送の放送波を受信する機能、及び、所定のテレビ番組を録画する機能を有し、録画したテレビ番組（コンテンツ）をコンテンツ記憶部２１に記憶する。コンテンツ再生部２２は、電子機器１０が有するディスプレイ、又は、電子機器１０と接続されたディスプレイを介して、コンテンツ記憶部２１に記憶されているテレビ番組（コンテンツ）を所定の位置から（冒頭から、途中から）再生することができる。
【００５３】
電子機器１０は、第１の実施形態同様、携帯電話や携帯ゲームなどの携帯端末であってもよいし、テレビ、ブルーレイレコーダ、ＤＶＤレコーダ、パーソナルコンピュータなどであってもよい。
【００５４】
本実施形態によれば、第１の実施形態と同様の作用効果を実現することができる。
【００５５】
＜第３の実施形態＞
本実施形態の電子機器は、携帯電話や携帯ゲームなどの携帯端末である。
【００５６】
近年の携帯端末には、緊急地震速報を受信する機能を持っているものがある。また近年の携帯端末には、ＡＶ機器と連動し、番組の予約録画操作、およびＡＶ機器内の録画データの再生操作を行う機能が搭載されているものがある（例：電子番組表取得機能、リモコン機能・Ｗｉ−Ｆｉによる番組録画予約機能、ＤＬＮＡによるビデオレコーダー内録画データ再生機能）。
【００５７】
これらの機能を本実施形態の電子機器に搭載し、これらを連携させることにより、録画予約したテレビ番組の録画中に、地震が発生していたかどうかを検出する。また、地震が発生していた場合は、録画した番組中のどの箇所で地震が発生したかを算出する。また、電子機器から当該番組録画データの再生操作を行う際、地震発生時の場面へスキップさせる指示を行う。
【００５８】
以下、本実施形態の具体例について説明する。まず、本実施形態の説明に用いる図面について説明する。
【００５９】
図５は、本実施形態の携帯端末（電子機器）の機能ブロック図の一例である。図５に示すように、本実施形態の携帯端末１０１は、録画予約操作部１０２、録画履歴データベース１０３、緊急地震速報受信部１０４、緊急地震速報データベース１０５、再生制御部１０６、時計１０７を含む。録画履歴データベース１０３は上記実施形態で説明した録画番組属性情報記憶部１１に相当し、緊急地震速報データベース１０５は上記実施形態で説明したイベント発生情報記憶部１２に相当し、再生制御部１０６は上記実施形態で説明した再生制御部１３に相当する。
【００６０】
図２は、録画履歴データベース１０３の構成の一例である。本データベースは、通番、チャンネル番号、録画開始日時、録画終了日時、番組名の要素を持つレコードから構成される。
【００６１】
図３は、携帯端末１０１内の緊急地震速報データベース１０５の構成の一例である。本データベースは、通番、地震発生日時の要素を持つレコードから構成される。
【００６２】
図６は、ユーザーが番組の録画予約をするときに、携帯端末１０１と、ビデオレコーダー２０２と、ＴＶ局２０３がどのように連携するかを示したイメージ図である。
【００６３】
図７は、ビデオレコーダー２０２内の録画データ一覧の例である。本一覧は、通番、番組名、録画時間の要素を持つレコードから構成される。
【００６４】
図８は、録画予約された番組放送中に地震が発生したとき、携帯端末１０１、ビデオレコーダー２０２それぞれに対し、緊急地震速報が送信されるイメージ図である。
【００６５】
図９は、ユーザーが携帯端末１０１を操作し、ビデオレコーダー２０２内の録画データを再生するときのイメージ図である。
【００６６】
図１０は、ユーザーが携帯端末１０１を使用し、番組を録画予約する処理の流れの一例を示すフローチャートである。
【００６７】
図１１は、地震発生時、携帯端末１０１が、緊急地震速報を受信する処理の流れの一例を示すフローチャートである。
【００６８】
図１２は、ユーザーが携帯端末１０１を使用し、録画した番組を再生する処理の流れの一例を示すフローチャートである。
【００６９】
次に、本実施形態の動作例について説明する。
【００７０】
まず、図２、図５、図６、図７、及び、図１０を用いて、ユーザーが携帯端末１０１を操作し、ビデオレコーダー２０２に番組録画を予約し、ビデオレコーダー２０２が録画を実行する動作例を説明する。
【００７１】
図６に示すように、携帯端末１０１は、ＴＶ局２０３からの番組放送波もしくはインターネット経由で、ＴＶの番組表情報を受信しているものとする。
【００７２】
ユーザーは、携帯端末１０１を操作し、ＴＶ番組表から録画したい番組を選択する（図１０のＳ８０１）。
【００７３】
携帯端末１０１は、録画予約操作部１０２（図５参照）を介して、ビデオレコーダー２０２に、対象となる番組の情報（チャンネル、放送開始日時、放送終了日時、番組名、もしくは、それらを一意に特定できるインデックス値）を送信し（図６参照）、録画予約を行う（図１０のＳ８０２）。また同時に、携帯端末１０１は、録画予約した番組の情報を、録画履歴データベース１０３（図５参照）に追加する（図１０のＳ８０３）。この動作を繰り返すことによって、録画履歴データベース１０３に、図２に示すような録画履歴データベースを構築する。
【００７４】
その後、ビデオレコーダー２０２は、予約された番組の放送日時になると、ＴＶ局からの放送波を受信し（図６参照）、それを録画して、図７に示すように、内部の保存領域に、番組の録画データを蓄積していく。
【００７５】
次に、図３、図５、図８、及び、図１１を用いて、地震発生時に、携帯端末１０１が、緊急地震速報を受信する時の動作例を説明する。
【００７６】
地震が発生した時（図１１のＳ９０１）、図８に示すように、気象庁５０５から、緊急地震速報が発信される（図１１のＳ９０２）。
【００７７】
気象庁５０５からの緊急地震速報を受信した携帯電話キャリア中継局５０４（図８参照）は、携帯端末１０１に対し、３ＧやＬＴＥなど、携帯電話用の電波に乗せて、エリアメール等で緊急地震速報を発信する（図１１のＳ９０３、図８参照）。
【００７８】
これを受けた携帯端末１０１は、ユーザーに対し、地震発生の通知を行うと同時に、時計１０７から緊急地震速報を受けた日時を取得し（図１１のＳ９０４、図５参照）、緊急地震速報データベース１０５に記録していくことで（図５参照）、図３に示すような緊急地震速報データベース１０５を構築する（図１１のＳ９０５）。
【００７９】
一方、気象庁５０５からの地震発生の速報を受信したＴＶ局２０３は、地震発生の情報を、番組の映像や音声に重畳して送信する（図８参照）。ビデオレコーダー２０２には、ＴＶ局２０３から放送された地震速報の重畳された番組の映像と音声が、そのまま録画される。
【００８０】
次に、図２、図３、図５、図９、及び、図１２を用いて、ユーザーが携帯端末１０１を操作し、ビデオレコーダー２０２内の録画データを再生するときの動作例を説明する。
【００８１】
まず、ユーザーが、携帯端末１０１内の録画履歴データベース１０３（図２参照）を参照し、携帯端末１０１を用いてビデオレコーダー２０２に録画した番組の一覧から、再生したい番組を選択する（図１２のＳ１００１）。
【００８２】
携帯端末１０１は、ビデオレコーダー２０２に対し、指定された録画番組を再生開始するように指示を出し、ビデオレコーダー２０２は、指定された番組を再生開始する（図１２のＳ１００２）。
【００８３】
次にユーザーは、携帯端末１０１を操作し、番組中の地震発生時点へのスキップを指示ずる（図１２のＳ１００３）。
【００８４】
この指示を受けた携帯端末１０１は、録画履歴データベース１０３（図２参照）から、現在再生中の番組の録画開始と録画終了の日時を取得する（図１２のＳ１００４、Ｓ１００５）。
【００８５】
次に、携帯端末１０１は、緊急地震速報データベース１０５（図３参照）を検索し、番組の録画開始から録画終了までの間に、緊急地震速報が発生しているか判定する（図１２のＳ１００６、Ｓ１００７）。
【００８６】
番組の録画開始から録画終了までに地震が発生していなければ（図１２のＳ１００７のＮｏ）、その旨をユーザーに通知して終了する（図１２のＳ１００８）。
【００８７】
一方、番組の録画開始から録画終了までに地震が発生していれば（図１２のＳ１００７のＹｅｓ）、地震発生日時から番組録画開始日時を引き算し、録画開始から地震発生までの経過時間を算出し、その時点まで再生をスキップする（図１２のＳ１００９、Ｓ１０１０）。
【００８８】
次に、図２、図３、図７、及び、図８の事例を用いて具体的に説明する。
【００８９】
既に、携帯端末１０１やビデオレコーダー２０２を使用し、録画予約を実行しており、携帯端末１０１の録画履歴データベース１０３には、図２に示すような録画した番組の履歴データベースが出来ており、ビデオレコーダー２０２内には図７のように録画済み番組が蓄積されているものとする。
【００９０】
また、この例では、緊急地震速報が３回発生しており、それらの発生日時が、携帯端末１０１の緊急地震速報データベース１０５（図３参照）に蓄積されているものとする。
【００９１】
まず、録画中に地震の発生が無かったテレビ番組を再生するケースについて説明する。
【００９２】
ユーザーが、携帯端末１０１を使用してビデオレコーダー２０２で録画した図２内の番組の内、通番１の番組を選択したとする。図２に示す録画履歴データベース１０３によると、通番１の番組名は「スポーツ１」であり、携帯端末１０１は、ビデオレコーダー２０２に対し、番組「スポーツ１」の再生開始を指示し、ビデオレコーダー２０２は、自己の番組保存領域に保存されている番組「スポーツ１」の再生を開始する。
【００９３】
次にユーザーは、携帯端末１０１を操作し、番組中の地震発生時点へのスキップを指示する。携帯端末１０１は、録画履歴データベース１０３から、通番１の番組の録画開始日時2012/1/2 10:00と、録画終了日時2012/1/2 10:30を取得する。
【００９４】
次に携帯端末１０１は、図３に示す緊急地震速報データベース１０５を利用して、本番組の録画中に受信した緊急地震速報があるか検索する。図３の例では、通番１の番組の録画開始日時2012/1/2 10:00から、録画終了日時2012/1/2 10:30の間に緊急地震速報を受信していないので、この番組の録画中には地震発生は無かったと判定し、ユーザーにその旨を通知して終了する。
【００９５】
次に、録画中に地震の発生があったテレビ番組を再生するケースについて説明する。
【００９６】
ユーザーが、携帯端末１０１を使用してビデオレコーダー２０２で録画した図２内の番組の内、通番３の番組を選択したとする。図２に示す録画履歴データベース１０３によると、通番３の番組名は「ドラマ２」であり、携帯端末１０１は、ビデオレコーダー２０２に対し、番組「ドラマ２」の再生開始を指示し、ビデオレコーダー２０２は、自己の番組保存領域に保存されている番組「ドラマ２」の再生を開始する。
【００９７】
次にユーザーは、携帯端末１０１を操作し、番組中の地震発生時点へのスキップを指示ずる。携帯端末１０１は、録画履歴データベース１０３から、通番３の番組の録画開始日時2012/1/3 11:00と、録画終了日時2012/1/3 11:30を取得する。
【００９８】
次に携帯端末１０１は、図３に示す緊急地震速報データベース１０５を利用して、本番組の録画中に受信した緊急地震速報があるか検索する。図３の例では、通番３の番組の録画中に、通番１の緊急地震速報（発生日時2012/1/3 11:03）を受信している。
【００９９】
携帯端末１０１は、通番１の緊急地震速報の日時2012/1/3 11:03から、本番組の録画開始日時2012/1/3 11:00を引き算し、地震発生時点が、番組の録画開始から３分後であることを算出する。携帯端末１０１は、ビデオレコーダー２０２に、冒頭から３分後の位置まで再生をスキップするように指示し、ビデオレコーダー２０２は、指定の時点から番組再生を再開する。
【０１００】
以上説明したように、本実施形態の携帯端末１０１は、ビデオレコーダー２０２と連動し、録画番組内の地震速報の発生した時点へ容易にジャンプさせる機能を持つので、ユーザーは、録画した番組を先頭から一通り再生しなくても、録画番組中の地震発生時の場面を即座に確認でき、時間の節約となる。
【０１０１】
次に、本実施形態の変形例について説明する。
【０１０２】
上記の例では、３ＧやＬＴＥなど、携帯電話用の電波に乗せる緊急地震速報を受信することによって、地震発生履歴のデータベースを携帯端末内に蓄積しておき、録画番組を再生するときに、録画番組中の地震発生日時を取得するために使用する例を挙げたが、地震発生日時の履歴を、緊急地震速報の受信の蓄積によってではなく、インターネット上の地震発生履歴公開サイト（気象庁のホームページ等）を参照することによって、得るようにしてもよい。
【０１０３】
図１２のフローチャート内の、番組内の地震発生日時検索動作（Ｓ１００６）で参照するデータベースとして、携帯端末内の緊急地震速報データベース１０５ではなく、地震発生履歴公開サイト５０６の地震発生履歴を参照する例のイメージ図を、図１３に示す。例えば気象庁のホームページには、図１４のような地震発生の履歴が公開されているので、緊急地震速報データベース１０５の代わりに使用可能である。
【０１０４】
この変形例の場合、携帯電話が緊急地震速報の受信に対応していない場合や、地震発生時にたまたま携帯電話用の電波の圏外にいたり、電源を切っていて緊急地震速報を受信できなかった場合でも、番組中の地震発生日時を得ることが出来、ビデオレコーダーに対し、地震発生位置へのスキップ指示が可能となる。
【０１０５】
＜＜付記＞＞
上記説明によれば、以下の発明の説明がなされている。
＜発明１＞
コンテンツ記憶手段に記憶されたテレビ番組を識別する情報、当該テレビ番組の録画開始日時及び録画終了日時を含む録画番組属性情報を記憶する録画番組属性情報記憶手段と、
所定のイベントの発生日時を示すイベント発生情報を記憶するイベント発生情報記憶手段と、
前記コンテンツ記憶手段に記憶されたテレビ番組を所定の位置から再生する指示をコンテンツ再生手段に送信する再生制御手段と、
を有し、
前記再生制御手段は、前記イベント発生情報を利用して前記コンテンツ記憶手段に記憶されたテレビ番組の録画中に前記イベントが発生しているか否か判断するとともに、録画中に前記イベントが発生している前記テレビ番組を、前記イベント発生時点、又は、前記イベント発生時点から予め定められた所定時間後の時点から再生する指示を前記コンテンツ再生手段に送信する電子機器。
＜発明２＞
発明１に記載の電子機器において、
前記電子機器は携帯端末であり、
前記コンテンツ記憶手段及び前記コンテンツ再生手段は、前記携帯端末とは異なる装置に設けられている電子機器。
＜発明３＞
発明２に記載の電子機器において、
前記電子機器は、前記イベントが発生するとその都度、前記イベントが発生したことを示すイベント速報を取得するイベント速報取得手段を有し、
前記イベント速報取得手段は、前記イベント速報を取得すると、前記イベント発生情報記憶手段に蓄積していく電子機器。
＜発明４＞
発明１に記載の電子機器において、
前記電子機器は、さらに、前記コンテンツ記憶手段及び前記コンテンツ再生手段を有する電子機器。
＜発明５＞
発明１から４のいずれかに記載の電子機器において、
前記再生制御手段は、前記コンテンツ記憶手段に記憶されたテレビ番組の中に録画中に前記イベントが発生していない前記テレビ番組がある場合、当該テレビ番組の録画中には前記イベントが発生していないことを示す情報をユーザーに向けて出力する電子機器。
＜発明６＞
発明１から５のいずれかに記載の電子機器において、
前記イベントは、地震発生である電子機器。
＜発明７＞
コンピュータを、
コンテンツ記憶手段に記憶されたテレビ番組を識別する情報、当該テレビ番組の録画開始日時及び録画終了日時を含む録画番組属性情報を記憶する録画番組属性情報記憶手段、
所定のイベントの発生日時を示すイベント発生情報を記憶するイベント発生情報記憶手段、
前記コンテンツ記憶手段に記憶されたテレビ番組を所定の位置から再生する指示をコンテンツ再生手段に送信する再生制御手段、
として機能させ、
前記再生制御手段に、前記イベント発生情報を利用して前記コンテンツ記憶手段に記憶されたテレビ番組の録画中に前記イベントが発生しているか否か判断させるとともに、録画中に前記イベントが発生している前記テレビ番組を、前記イベント発生時点、又は、前記イベント発生時点から予め定められた所定時間後の時点から再生する指示を前記コンテンツ再生手段に送信させるプログラム。
＜発明７−３＞
発明７に記載のプログラムにおいて、
前記コンピュータを、
前記イベントが発生するとその都度、前記イベントが発生したことを示すイベント速報を取得するイベント速報取得手段として機能させ、
前記イベント速報取得手段に、前記イベント速報を取得すると、前記イベント発生情報記憶手段に蓄積させるプログラム。
＜発明７−４＞
発明７に記載のプログラムにおいて、
前記コンピュータを、さらに、前記コンテンツ記憶手段及び前記コンテンツ再生手段として機能させるプログラム。
＜発明７−５＞
発明７、７−３及び７−４のいずれかに記載のプログラムにおいて、
前記再生制御手段に、前記コンテンツ記憶手段に記憶されたテレビ番組の中に録画中に前記イベントが発生していない前記テレビ番組がある場合、当該テレビ番組の録画中には前記イベントが発生していないことを示す情報をユーザーに向けて出力させるプログラム。
＜発明８＞
コンピュータが、
コンテンツ記憶手段に記憶されたテレビ番組を識別する情報、当該テレビ番組の録画開始日時及び録画終了日時を含む録画番組属性情報、及び、所定のイベントの発生日時を示すイベント発生情報を記憶しておき、
前記コンテンツ記憶手段に記憶されたテレビ番組を所定の位置から再生する指示をコンテンツ再生手段に送信する再生制御ステップを実行し、
前記再生制御ステップでは、前記イベント発生情報を利用して前記コンテンツ記憶手段に記憶されたテレビ番組の録画中に前記イベントが発生しているか否か判断するとともに、録画中に前記イベントが発生している前記テレビ番組を、前記イベント発生時点、又は、前記イベント発生時点から予め定められた所定時間後の時点から再生する指示を前記コンテンツ再生手段に送信する再生制御方法。
＜発明８−３＞
発明８に記載の再生制御方法において、
前記コンピュータは、前記イベントが発生するとその都度、前記イベントが発生したことを示すイベント速報を取得するイベント速報取得ステップをさらに実行し、
前記イベント速報取得ステップでは、前記イベント速報を取得すると、前記イベント発生情報記憶手段に蓄積していく再生制御方法。
＜発明８−４＞
発明８に記載の再生制御方法において、
前記コンピュータは、前記コンテンツ記憶手段に記憶されたテレビ番組を所定の位置から再生するコンテンツ再生ステップをさらに実行する再生制御方法。
＜発明８−５＞
発明８、８−３及び８−４のいずれかに記載の再生制御方法において、
前記再生制御ステップでは、前記コンテンツ記憶手段に記憶されたテレビ番組の中に録画中に前記イベントが発生していない前記テレビ番組がある場合、当該テレビ番組の録画中には前記イベントが発生していないことを示す情報をユーザーに向けて出力する再生制御方法。
【符号の説明】
【０１０６】
１０    電子機器
１１    録画番組属性情報記憶部
１２    イベント発生情報記憶部
１３    再生制御部
２０    レコーダ
２１    コンテンツ記憶部
２２    コンテンツ再生部
１０１  携帯端末
１０２  録画予約操作部
１０３  録画履歴データベース
１０４  緊急地震速報受信部
１０５  緊急地震速報データベース
１０６  再生制御部
１０７  時計
２０２  ビデオレコーダー
２０３  ＴＶ局
５０４  携帯電話キャリア中継局
５０５  気象庁
５０６  地震発生履歴公開サイト
【図１】
2014107699.tif 000003
【図２】
2014107699.tif 000004
【図３】
2014107699.tif 000005
【図４】
2014107699.tif 000006
【図５】
2014107699.tif 000007
【図６】
2014107699.tif 000008
【図７】
2014107699.tif 000009
【図８】
2014107699.tif 000010
【図９】
2014107699.tif 000011
【図１０】
2014107699.tif 000012
【図１１】
2014107699.tif 000013
【図１２】
2014107699.tif 000014
【図１３】
2014107699.tif 000015
【図１４】
2014107699.tif 000016